(57)【要約】【課題】検休の測定中、光源の異常を直ちに検出し、測定結果の誤報告を未然に防ぐ。【解決手段】本発明の一態様は、ターンテーブル６に配置された複数の反応容器２６に光源１６Ｌから光を照射して空の反応容器６１Ａ〜６１Ｅを含む複数の反応容器２６を透過した透過光を測定し、透過光から吸光度を算出する。次に、ターンテーブル６が回転する間、ターンテーブル６に配置された空の反応容器６１Ａ〜６１Ｅの吸光度を光度計から取得し、空の反応容器６１Ａ〜６１Ｅの吸光度と閾値とを比較して空の反応容器６１Ａ〜６１Ｅの吸光度の異常を検出する。そして、１以上の空の反応容器の吸光度に異常が検出されたときには、光源１６Ｌが異常であると判定する。【選択図】図３
2017129460.tif 000002
【特許請求の範囲】
【請求項１】
検体及び測定項目ごとの試薬が注入される複数の反応容器を周方向に配置できるように形成されており、前記周方向に回転するターンテーブルと、
前記ターンテーブルを１回以上の回転動作を経て前記周方向にほぼ１回転するように制御する回転制御部と、
前記ターンテーブルに配置された前記複数の反応容器に光源から光を照射して前記反応容器を透過した透過光を測定し、前記透過光から吸光度を算出する光度計と、
前記ターンテーブルが回転する間、前記ターンテーブルに配置された前記複数の反応容器に混在する空の反応容器の吸光度を前記光度計から取得し、前記空の反応容器の前記吸光度と閾値とを比較して前記空の反応容器の吸光度の異常を検出する吸光度異常検出部と、
前記吸光度異常検出部において１以上の前記空の反応容器の吸光度に異常が検出されたときには、前記光源が異常であると判定する光源異常判定部と、を備える
自動分析装置。
【請求項２】
前記ターンテーブルの１回の移動範囲に対応する、少なくとも１つの分割領域内に少なくとも２個の空の反応容器が配置されている
請求項１に記載の自動分析装置。
【請求項３】
前記ターンテーブルの全周にわたって各分割領域内に少なくとも２個の空の反応容器が配置されている
請求項２に記載の自動分析装置。
【請求項４】
前記ターンテーブルの前記分割領域内に少なくとも２個の空の反応容器が隣接して配置される
請求項２又は３に記載の自動分析装置。
【請求項５】
前記反応容器の測定結果が登録される測定結果テーブル、を更に備え、
前記光源異常判定部は、前記光源が異常であると判定した場合には、前記光源の異常が検出されたときに前記ターンテーブルに配置されていた全反応容器の測定項目の全てにエラーフラグを付与する
請求項１乃至４のいずれかに記載の自動分析装置。
【請求項６】
前記ターンテーブルの１回の移動範囲に対応する分割領域内に１個の空の反応容器が配置されている
請求項１に記載の自動分析装置。
【請求項７】
前記ターンテーブルに少なくとも２個の空の反応容器が配置されている
請求項１に記載の自動分析装置。
【請求項８】
前記検体を前記反応容器に注入する検体注入部と、
前記試薬を前記反応容器に注入する試薬注入部と、を更に備え、
前記検体注入部及び前記試薬注入部は、前記ターンテーブルに配置された複数の前記反応容器のうち前記ターンテーブルの１回の移動範囲に対応する分割領域内に含まれる１個以上の前記反応容器を残して他の前記反応容器に前記検体及び前記試薬を注入する
請求項１乃至３のいずれかに記載の自動分析装置。
【請求項９】
表示部に表示する内容を制御する表示制御部、を更に備え、
前記光源異常判定部は、前記光源が異常であることを前記表示制御部に通知し、前記表示制御部は前記光源が異常であることを示す画像を前記表示部に表示する
請求項１乃至５のいずれかに記載の自動分析装置。
【請求項１０】
回転制御部により、検体及び測定項目ごとの試薬が注入される複数の反応容器を周方向に配置できるように形成されたターンテーブルを１回以上の回転動作を経て前記周方向にほぼ１回転するように制御し、
光度計により、前記ターンテーブルに配置された前記複数の反応容器に光源から光を照射して前記反応容器を透過した透過光を測定し、前記透過光から吸光度を算出し、
吸光度異常検出部により、前記ターンテーブルが回転する間、前記ターンテーブルに配置された前記複数の反応容器に混在する空の反応容器の吸光度を前記光度計から取得し、前記空の反応容器の前記吸光度と閾値とを比較して前記空の反応容器の吸光度の異常を検出し、
光源異常判定部により、前記吸光度異常検出部において１以上の前記空の反応容器の吸光度に異常が検出されたときには、前記光源が異常であると判定する
光源異常検出方法。
【請求項１１】
コンピュータに、
検体及び測定項目ごとの試薬が注入される複数の反応容器を周方向に配置できるように形成されたターンテーブルを、１回以上の回転動作を経て前記周方向にほぼ１回転するように制御する処理と、
前記ターンテーブルに配置された前記複数の反応容器に光源から光を照射して前記反応容器を透過した透過光を測定し、前記透過光から吸光度を算出する処理と、
前記ターンテーブルが回転する間、前記ターンテーブルに配置された前記複数の反応容器に混在する空の反応容器の吸光度を光度計から取得し、前記空の反応容器の前記吸光度と閾値とを比較して前記空の反応容器の吸光度の異常を検出する処理と、
１以上の前記空の反応容器の吸光度に異常が検出されたときには、前記光源が異常であると判定する処理と、
を実行させるプログラム。
【発明の詳細な説明】
【技術分野】
【０００１】
本発明は、検体に含まれる成分を分析するための自動分析装置、光源異常検出方法及びプログラムに関し、詳しくは光源の異常を検出する技術に関する。
【背景技術】
【０００２】
自動分析装置として、血液や尿等の検体に含まれる各種成分を分析する生化学分析装置が知られている。この生化学分析装置では、血清、尿等の検体を一定の条件で希釈した後、反応容器に分注して、分析項目に応じた試薬と、検体とを反応容器（キュベット）内で混合して反応させている。そして、生化学分析装置は、反応容器に分注された希釈検体の吸光度を測定し、吸光度を濃度に換算することによって、検体に含まれる成分（測定対象物質）の分析を行っている。
【０００３】
ここで、従来の自動分析装置の動作について生化学分析装置を例に説明する。一般に、生化学分析装置は、分析装置本体である測定機構と、測定機構を制御する計算機とを備える。測定機構は、検体が注入されるキュベットと呼ばれる検体容器を保持するサンプルターンテーブル、検体と試薬を反応させ測定を行う反応ターンテーブル、及び複数の試薬を保持する試薬ターンテーブルを有する。
【０００４】
反応ターンテーブルは、一例としてほぼ３回の動作（３サイクル）で１回転し、１回転するのに要する時間が１３．５秒である。測定機構は、検体の濃度を測定する際、反応ターンテーブルに配置されたキュベットに検体と試薬を分注し、４．５秒毎に反応ターンテーブルを約１／３以上回転させ、キュベットが光源ランプの前を通過する度に、測光を行う。例えば１０分反応の項目を測定する場合には、測定機構は、キュベットに検体と試薬を分注後、測定項目の反応が終わるまでの１０分間に、当該キュベットを約１３．５秒毎に１回、合計約４５回測光する。測定機構は、測光の際、光源ランプからキュベットに向けて光を発し、キュベット内の検体を通過した透過光に応じたアナログ信号から変換されたデジタル信号の値（Ａ／Ｄ値）（以降、透過光と呼ぶ）を、計算機に送信する。
【０００５】
測光機構は、当該キュベットにおいて測定項目の反応が終了すると、キュベット内の検体を吸引及び洗浄し、空になったキュベットに対して再び測光し、空のキュベットを透過した透過光のＡ／Ｄ値（以降、入射光と呼ぶ）を、計算機に送信する。
【０００６】
計算機の演算モジュールは、測定機構から受信した測光ポイントごとの透過光と、基準となる入射光とを元に、光が検体を通過した際に強度がどの程度弱まったか（吸光度）を、測定ポイント毎に演算して求める。そして、演算モジュールは、得られたおよそ４０個の吸光度について、図１に示すような縦軸を吸光度、横軸を測光ポイントとする反応過程曲線を作成する。
【０００７】
図１は、吸光度に異常が見られないある測定項目の反応過程曲線の例を示す。図１では、Ｒ１のタイミングで第１の試薬を検体と混合し（１回目の試薬注入）、Ｒ３のタイミングで第２の試薬を検体と混合している（２回目の試薬注入）。第２の試薬を注入してから約４０個の測定ポイントで吸光度が測定されている。
【０００８】
演算モジュールは、得られた反応過程曲線のうち、項目ごとに分析条件で指定された両矢印で示す測光ポイントの区間（以降、演算ポイントと呼ぶ）の吸光度を元に、測定項目の濃度を演算する元となる吸光度を演算する。最終的に、演算モジュールは、演算で得られた測定項目の吸光度と、事前のキャリブレーション測定で得られた検量線とを元に、検体の濃度を算出し、表示部の画面に濃度を出力する。
【０００９】
正しい濃度を計算するためには、光源ランプの光量が常に一定であることが求められる。計算機は、一つの基準となる入射光を基に、測光ポイント毎の透過光から吸光度を演算するため、もし光源ランプの異常により、ある測光ポイントで光源ランプの光量が弱まった場合、この測光ポイントの透過光は小さくなり、演算結果の吸光度は高くなってしまう。
【００１０】
一般に光源ランプは、時間の経過とともに劣化していき、やがて、光量は安定しなくなり、正しい測定結果が得られなくなる。このため、ユーザーは１週間に１度、計算機の光量モニタ画面から光源ランプの光量の測定を指示し、画面に表示される光量の減衰率（施設に生化学分析装置を納入した際又は光源ランプを交換した際に測定して得られた光量を１００％とし、これを基準に、今回測定して得られた光量）を確認する。以降、光源ランプの光量の確認作業を光量チェックと呼ぶ。減衰率が基準値以下の場合は、光源ランプを交換する必要がある。
【００１１】
劣化した光源ランプを使用し続けた場合、測定中に光量が変化し、反応過程曲線に「スパイクノイズ」となって現れる。図２は、劣化した光源ランプを使用して測定した場合の反応過程曲線の例であり、３箇所にスパイクノイズ（破線部）が見られる。
【００１２】
計算機の演算モジュールは、反応過程曲線の演算ポイントで、吸光度のばらつきをチェックし、ばらつきが分析条件で設定された基準値を超えた場合は、測定項目の測定結果にばらつき異常（分散異常）を表すエラーフラグ‘＊’を付加する。図２の反応過程データ情報画面Ｄ１では、項目「Ｍａｒｋ」にエラーフラグ‘＊’が表示されている。このエラーフラグ‘＊’は、原因の如何にかかわらず吸光度のばらつき異常が検出されると表示される。測定結果にエラーフラグ‘＊’が付加された場合、ユーザーは、この検体の再検を生化学分析装置に指示する。もし、再検の測定結果にもエラーフラグ‘＊’が付加された場合、ユーザーはこの時初めて生化学分析装置の異常を疑い、反応過程曲線を確認する。
【００１３】
エラーフラグ‘＊’が付加される原因には、光源ランプの異常の他、攪拌による泡立ち、撹拌子（例えば撹拌棒）からの液だれ、検体そのものの特性等、いくつか考えられるが、ユーザーが光源ランプの異常を疑った場合、その時点で測定中の検体があれば、検体の測定が完了するのを待ち、光量チェックを行う。光量チェックで光源ランプの異常が判明すれば、ユーザーは光源ランプを交換する。
【００１４】
光源ランプの光量の変化を検出する技術として特許文献１に記載のものが知られている。特許文献１には、使用時間の経過にともなう光量減少が基になっている標準光源ランプの吸光度経時変動と、吸光度測定部で使う光源ランプの吸光度経時変動を比べ、光源ランプの交換時期を算定する自動分析装置の発明が開示されている。
【００１５】
不具合のあるデータにマークを付ける技術として特許文献２に記載のものが知られている。特許文献２には、「・・・基準試料が状態変化していることを示すマークを付して（ステップＳ１５）、分析結果として出力する」、「複数の標準試料によるデータの保証に関し、・・・、不合格のときは、取り敢えず測定データを出力等するものの、不合格となった標準試料が関与する分析項目についてのデータ保証がされない旨のエラーマークを付して、・・・」と記載されている。
【先行技術文献】
【特許文献】
【００１６】
【特許文献１】特開２０１１−１１７７４６号公報
【特許文献２】特開平１１−２７１３１０号公報（段落００２２）
【発明の概要】
【発明が解決しようとする課題】
【００１７】
光源ランプの異常により、測定結果にエラーフラグ‘＊’が付加された場合、ユーザーはこの検休を再検する。ここで、再検時に発生するスパイクノイズがたまたま初検時よりも小さく、吸光度のばらつきが分析条件で設定された基準値を超えなかった場合には、測定結果にエラーフラグ‘＊’は付加されず、誤った濃度が報告されることになる。
【００１８】
また、再検の測定結果にエラーフラグ‘＊’が付加されたとしても、光源ランプが原因であることを特定することは容易ではない。経験豊富な技師であれば、反応過程曲線から、光源ランプの異常を疑うことが可能かもしれないが、経験の少ない技師は、反応過程曲線から原因を特定することは困難である。特に、最近では専門的な知識を多く持たない、オペレーター的な技師も増えているため、この後者のケースは少なくない。
【００１９】
なお、光源ランプに異常がある場合、当然、反応ターンテーブル上の全ての検体の測定結果が誤報告のリスクを含むことになるが、従来は測定した全ての検体の測定結果にエラーフラグ‘＊’が付加されるとは限らない。理由は、項目毎に演算ポイントが異なり、たまたま演算ポイントで大きなスパイクノイズさえ発生しなければ測定結果にエラーフラグ‘＊’が付加されることはなく、正常な測定結果として報告されてしまうためである。
【００２０】
この他、光源ランプの異常を特定するまでには、一つ又は複数の検体の再検、ユーザーによる反応過程曲線の確認と原因の考察、及び、光量チェックの実施と光量データの確認を行う必要がある。そのため、経験豊富な技師であっても１時間〜２時間程度を要してしまい、その間ルーチンは停止してしまう。
【００２１】
本発明は、上記の状況を考慮してなされたものであり、検休の測定中、光源ランプの異常を直ちに検出し、測定結果の誤報告を未然に防ぐことを目的とする。
【課題を解決するための手段】
【００２２】
本発明の一態様の自動分析装置は、検体及び測定項目ごとの試薬が注入される複数の反応容器を周方向に配置できるように形成されており、周方向に回転するターンテーブルと、ターンテーブルを１回以上の回転動作を経て周方向にほぼ１回転するように制御する回転制御部と、ターンテーブルに配置された複数の反応容器に光源から光を照射して反応容器を透過した透過光を測定し、透過光から吸光度を算出する光度計とを備える。さらに、この自動分析装置は、ターンテーブルが回転する間、ターンテーブルに配置された複数の反応容器に混在する空の反応容器の吸光度を光度計から取得し、空の反応容器の吸光度と閾値とを比較して空の反応容器の吸光度の異常を検出する吸光度異常検出部と、吸光度異常検出部において１以上の空の反応容器の吸光度に異常が検出されたときには、光源が異常であると判定する光源異常判定部とを備える。
【発明の効果】
【００２３】
本発明の少なくとも一態様によれば、検体を測定中に空の反応容器の吸光度を監視することで、光源異常に起因する、複数の検体、複数の項目の測定結果の誤報告を確実に防ぐことができる。
上記した以外の課題、構成及び効果は、以下の実施形態の説明により明らかにされる。
【図面の簡単な説明】
【００２４】
【図１】吸光度に異常が見られないある測定項目の反応過程曲線の例である。
【図２】劣化した光源ランプを使用して測定した場合の反応過程曲線の例である。
【図３】本発明の概要を説明する図である。
【図４】本発明の第１の実施形態に係る自動分析装置を模式的に示す説明図である。
【図５】本発明の第１の実施形態に係る計算機の内部構成例を示すブロック図である。
【図６】図５の計算機の制御部の機能ブロック図である。
【図７】反応ターンテーブル上の空の反応容器の配置例を示す説明図である。
【図８】光源ランプが正常な場合における一の測定項目の反応過程曲線の例を示すグラフである。
【図９】光源ランプが正常な場合における他の測定項目の反応過程曲線の例を示すグラフである。
【図１０】光源ランプが異常な場合における一の測定項目の反応過程曲線の例を示すグラフである。
【図１１】光源ランプが異常な場合における他の測定項目の反応過程曲線の例を示すグラフである。
【図１２】光源ランプが異常な場合における第１の空の反応容器の反応過程曲線の例を示すグラフである。
【図１３】光源ランプが異常な場合における第２の空の反応容器の反応過程曲線の例を示すグラフである。
【図１４】第１の空の反応容器についての吸光度のばらつき判定結果を示す表である。
【図１５】第２の空の反応容器についての吸光度のばらつき判定結果を示す表である。
【図１６】測定中の複数の項目及び空の反応容器に、同時にスパイクノイズが発生した場合の各反応過程曲線を示す図である。
【図１７】本発明の一実施形態に係る光源異常検出処理のフローチャートである。
【図１８】測定結果テーブルの例を示す図である。
【図１９】光源ランプ異常のエラー表示の例を示す図である。
【図２０】本発明の第２の実施形態に係る反応ターンテーブル上の空の反応容器の配置例を示す図である。
【図２１】本発明の第３の実施形態に係る反応ターンテーブル上の空の反応容器の配置例を示す図である。
【図２２】本発明の第４の実施形態に係る反応ターンテーブル上の空の反応容器の配置例を示す図である。
【図２３】本発明の第５の実施形態に係る反応ターンテーブル上の空の反応容器の配置例を示す図である。
【図２４】光源ランプが異常な場合における一の空の反応容器の反応過程曲線の例を示すグラフである。
【発明を実施するための形態】
【００２５】
以下、本発明を実施するための形態の例について、添付図面を参照しながら説明する。なお、各図において実質的に同一の機能又は構成を有する構成要素については、同一の符号を付して重複する説明を省略する。
【００２６】
＜１．本発明の概要＞
まず、本発明の実施形態を説明する前に、本発明の概要について図３を参照して説明する。本発明は、任意の検体の測定中に、測定に使用していない空の反応容器の全て又は一部を光源ランプからの入射光のチェック用として使用し、測定中に入射光の変化を監視し続けることにより、スパイクノイズ等による入射光の変化を直ちに検出する。そして、入射光に変化が検出された場合には、測定中の全ての検体の測定結果に光源ランプの異常を表すエラーフラグを付加し、エラーメッセージを表示する。
【００２７】
例えば図３に示す反応ターンテーブル６では、反時計回りへの３回の回転動作でほぼ１回転するように設定されている。上述したように反応ターンテーブル６には、複数の反応容器２６（図３では反応容器２６ａ、２６ｂと表す）が配置されている。反応容器２６ａ、２６ｂには検体が注入されている。この反応ターンテーブル６には、反応ターンテーブル６が１回の回転動作で移動する範囲である移動範囲６ａ（第１の移動範囲）に空の反応容器６１Ａ、６１Ｂが配置されている。また、移動範囲６ｂ（第２の移動範囲）に空の反応容器６１Ｃが配置されている。さらに、移動範囲６ｃ（第３の移動範囲）に空の反応容器６１Ｄ、６１Ｅが配置されている。移動範囲６ａ〜６ｃの各々の周方向の長さ（回転角度）は、反応ターンテーブル６の周方向の長さを３等分した長さ（回転角度）よりも僅かに長い（大きい）。
【００２８】
＜２．第１の実施形態＞
［自動分析装置の構成例］
図４に示す装置は、本発明の自動分析装置の一例として適用する生化学分析装置である。生化学分析装置１は、血液や尿等の生体試料に含まれる特定の成分の量を自動的に測定する装置である。
【００２９】
図４に示すように、生化学分析装置１は、測定機構１Ａと、計算機３０とを備える。測定機構１Ａは、測定部の一例であり、サンプルターンテーブル２と、希釈ターンテーブル３と、第１試薬ターンテーブル４と、第２試薬ターンテーブル５と、反応ターンテーブル６と、を備えている。また、測定機構１Ａは、サンプル希釈ピペット７と、サンプリングピペット８と、希釈撹拌装置９と、希釈洗浄装置１１と、第１試薬ピペット１２と、第２試薬ピペット１３と、第１反応撹拌装置１４と、第２反応撹拌装置１５と、多波長光度計１６と、恒温槽１７と、反応容器洗浄装置１８とを備えている。
【００３０】
サンプルターンテーブル２は、軸方向の一端が開口した略円筒状をなす容器状に形成されている。このサンプルターンテーブル２には、複数の検体容器２１と、複数の希釈液容器２２が収容されている。サンプルターンテーブル２の内側には、キャリブレータ２ａ（標準検体）やコントローラ２ｂ（管理検体）が設置される。また、サンプルターンテーブル２の内側の部分（内側の２列）は、主にキャリブレータ２ａやコントローラ２ｂを保冷する目的で保冷されている。検体容器２１には、血液や尿等からなる検体（サンプル）が収容される。希釈液容器２２には、通常の希釈液である生理食塩水以外の特別な希釈液が収容される。因みに、サンプルターンテーブル２を駆動するときは、内側と外側を同時に駆動することになる。
【００３１】
複数の検体容器２１は、サンプルターンテーブル２の周方向に所定の間隔を開けて並べて配置されている。また、サンプルターンテーブル２の周方向に並べられた検体容器２１の列は、サンプルターンテーブル２の半径方向に所定の間隔を開けて２列セットされている。
【００３２】
複数の希釈液容器２２は、複数の検体容器２１の列よりもサンプルターンテーブル２の半径方向の内側に配置されている。複数の希釈液容器２２は、複数の検体容器２１と同様に、サンプルターンテーブル２の周方向に所定の間隔を開けて並べて配置されている。そして、サンプルターンテーブル２の周方向に並べられた希釈液容器２２の列は、サンプルターンテーブル２の半径方向に所定の間隔を開けて２列セットされている。
【００３３】
なお、複数の検体容器２１及び複数の希釈液容器２２の配列は、２列に限定されるものではなく、１列でもよく、あるいはサンプルターンテーブル２の半径方向に３列以上配置してもよい。
【００３４】
サンプルターンテーブル２は、不図示の駆動機構によって周方向に沿って回転可能に支持されている。そして、サンプルターンテーブル２は、不図示の駆動機構により、周方向に所定の角度範囲ごとに、所定の速度で回転する。また、サンプルターンテーブル２の周囲には、希釈ターンテーブル３が配置されている。
【００３５】
希釈ターンテーブル３、第１試薬ターンテーブル４、第２試薬ターンテーブル５及び反応ターンテーブル６は、サンプルターンテーブル２と同様に、軸方向の一端が開口した略円筒状をなす容器状に形成されている。希釈ターンテーブル３及び反応ターンテーブル６は、不図示の駆動機構により、その周方向に所定の角度範囲ずつ、所定の速度で回転する。なお、反応ターンテーブル６は、１回以上の回転動作を経て周方向にほぼ１回転（例えば１回の回転動作で約１／３以上回転）するように設定されている。
【００３６】
希釈ターンテーブル３には、複数の希釈容器２３が希釈ターンテーブル３の周方向に並べて収容されている。希釈容器２３には、サンプルターンテーブル２に配置された検体容器２１から吸引され、希釈された検体（以下、「希釈検体」という）が収容される。
【００３７】
第１試薬ターンテーブル４には、複数の第１試薬容器２４が第１試薬ターンテーブル４の周方向に並べて収容されている。また、第２試薬ターンテーブル５には、複数の第２試薬容器２５が第２試薬ターンテーブル５の周方向に並べて収容されている。そして、第１試薬容器２４には、濃縮された第１試薬が収容され、第２試薬容器２５には、第２試薬が収容される。
【００３８】
さらに、第１試薬ターンテーブル４、第１試薬容器２４、第２試薬ターンテーブル５及び第２試薬容器２５は、不図示の保冷機構によって所定の温度に保たれている。そのため、第１試薬容器２４に収容された第１試薬と、第２試薬容器２５に収容された第２試薬は、所定の温度で保冷される。
【００３９】
反応ターンテーブル６は、希釈ターンテーブル３と、第１試薬ターンテーブル４及び第２試薬ターンテーブル５の間に配置されている。反応ターンテーブル６には、複数の反応容器２６が反応ターンテーブル６の周方向に並べて収容されている。反応容器２６には、希釈ターンテーブル３の希釈容器２３からサンプリングした希釈検体と、第１試薬ターンテーブル４の第１試薬容器２４からサンプリングした第１試薬と、第２試薬ターンテーブル５の第２試薬容器２５からサンプリングした第２試薬が注入される。そして、この反応容器２６内において、希釈検体と、第１試薬及び第２試薬が撹拌され、反応が行われる。
【００４０】
サンプル希釈ピペット７（検体注入部の一例）は、サンプルターンテーブル２と希釈ターンテーブル３の周囲に配置される。サンプル希釈ピペット７は、不図示の希釈ピペット駆動機構により、サンプルターンテーブル２及び希釈ターンテーブル３の軸方向（例えば、上下方向）に移動可能に支持されている。また、サンプル希釈ピペット７は、希釈ピペット駆動機構により、サンプルターンテーブル２及び希釈ターンテーブル３の開口と略平行をなす水平方向に沿って回動可能に支持されている。そして、サンプル希釈ピペット７は、水平方向に沿って回動することで、サンプルターンテーブル２と希釈ターンテーブル３の間を往復運動する。なお、サンプル希釈ピペット７がサンプルターンテーブル２と希釈ターンテーブル３の間を移動する際、サンプル希釈ピペット７は、不図示の洗浄装置を通過する。
【００４１】
ここで、サンプル希釈ピペット７の動作について説明する。
サンプル希釈ピペット７がサンプルターンテーブル２における開口の上方の所定位置に移動した際、サンプル希釈ピペット７は、サンプルターンテーブル２の軸方向に沿って下降し、その先端に設けたピペットを検体容器２１内に挿入する。このとき、サンプル希釈ピペット７は、不図示のサンプル用ポンプが作動して検体容器２１内に収容された検体を所定量吸引する。次に、サンプル希釈ピペット７は、サンプルターンテーブル２の軸方向に沿って上昇してピペットを検体容器２１内から抜き出す。そして、サンプル希釈ピペット７は、水平方向に沿って回動し、希釈ターンテーブル３における開口の上方の所定位置に移動する。
【００４２】
次に、サンプル希釈ピペット７は、希釈ターンテーブル３の軸方向に沿って下降して、ピペットを所定の希釈容器２３内に挿入する。そして、サンプル希釈ピペット７は、吸引した検体と、サンプル希釈ピペット７自体から供給される所定量の希釈液（例えば、生理食塩水）を希釈容器２３内に吐出する。その結果、希釈容器２３内で、検体が所定倍数の濃度に希釈される。その後、サンプル希釈ピペット７は、洗浄装置によって洗浄される。
【００４３】
サンプリングピペット８（検体注入部の一例）は、希釈ターンテーブル３と反応ターンテーブル６の間に配置されている。サンプリングピペット８は、不図示のサンプリングピペット駆動機構により、サンプル希釈ピペット７と同様に、希釈ターンテーブル３の軸方向（上下方向）と水平方向に移動及び回動可能に支持されている。そして、サンプリングピペット８は、希釈ターンテーブル３と反応ターンテーブル６の間を往復運動する。
【００４４】
このサンプリングピペット８は、希釈ターンテーブル３の希釈容器２３内にピペットを挿入して、所定量の希釈検体を吸引する。そして、サンプリングピペット８は、吸引した希釈検体を反応ターンテーブル６の反応容器２６内に吐出する。
【００４５】
第１試薬ピペット１２（第１の試薬注入部の一例）は、反応ターンテーブル６と第１試薬ターンテーブル４の間に配置され、第２試薬ピペット１３は、反応ターンテーブル６と第２試薬ターンテーブル５の間に配置されている。第１試薬ピペット１２は、不図示の第１試薬ピペット駆動機構により、反応ターンテーブル６の軸方向（上下方向）と水平方向に移動及び回動可能に支持されている。そして、第１試薬ピペット１２は、第１試薬ターンテーブル４と反応ターンテーブル６の間を往復運動する。
【００４６】
第１試薬ピペット１２は、第１試薬ターンテーブル４の第１試薬容器２４内にピペットを挿入して、所定量の第１試薬を吸引する。そして、第１試薬ピペット１２は、吸引した第１試薬を反応ターンテーブル６の反応容器２６内に吐出する。
【００４７】
また、第２試薬ピペット１３（第２の試薬注入部の一例）は、不図示の第２試薬ピペット駆動機構により、第１試薬ピペット１２と同様に、反応ターンテーブル６の軸方向（上下方向）と水平方向に移動及び回動可能に支持されている。そして、第２試薬ピペット１３は、第２試薬ターンテーブル５と反応ターンテーブル６の間を往復運動する。
【００４８】
第２試薬ピペット１３は、第２試薬ターンテーブル５の第２試薬容器２５内にピペットを挿入して、所定量の第２試薬を吸引する。そして、第２試薬ピペット１３は、吸引した第２試薬を反応ターンテーブル６の反応容器２６内に吐出する。
【００４９】
希釈撹拌装置９及び希釈洗浄装置１１は、希釈ターンテーブル３の周囲に配置されている。希釈撹拌装置９は、不図示の撹拌子を希釈容器２３内に挿入し、検体と希釈液を撹拌する。
【００５０】
希釈洗浄装置１１は、サンプリングピペット８によって希釈検体が吸引された後の希釈容器２３を洗浄する装置である。この希釈洗浄装置１１は、複数の希釈容器洗浄ノズルを有している。複数の希釈容器洗浄ノズルは、不図示の廃液ポンプと、不図示の洗剤ポンプに接続されている。希釈洗浄装置１１は、希釈容器洗浄ノズルを希釈容器２３内に挿入し、廃液ポンプを駆動させて挿入した希釈容器洗浄ノズルによって希釈容器２３内に残留する希釈検体を吸い込む。そして、希釈洗浄装置１１は、吸い込んだ希釈検体を不図示の廃液タンクに排出する。
【００５１】
その後、希釈洗浄装置１１は、洗剤ポンプから希釈容器洗浄ノズルに洗剤を供給し、希釈容器洗浄ノズルから希釈容器２３内に洗剤を吐出する。この洗剤によって希釈容器２３内を洗浄する。その後、希釈洗浄装置１１は、洗剤を希釈容器洗浄ノズルによって吸引し、希釈容器２３内を乾燥させる。
【００５２】
第１反応撹拌装置１４、第２反応撹拌装置１５及び反応容器洗浄装置１８は、反応ターンテーブル６の周囲に配置されている。第１反応撹拌装置１４は、不図示の撹拌子を反応容器２６内に挿入し、希釈検体と第１試薬を撹拌する。これにより、希釈検体と第１試薬との反応が均一かつ迅速に行われる。なお、第１反応撹拌装置１４の構成は、希釈撹拌装置９と同一であるため、ここではその説明は省略する。
【００５３】
第２反応撹拌装置１５は、不図示の撹拌子を反応容器２６内に挿入し、希釈検体と、第１試薬と、第２試薬とを撹拌する。これにより、希釈検体と、第１試薬と、第２試薬との反応が均一かつ迅速に行われる。なお、第２反応撹拌装置１５の構成は、希釈撹拌装置９と同一であるため、ここではその説明は省略する。
【００５４】
反応容器洗浄装置１８は、検査が終了した反応容器２６内を洗浄する装置である。この反応容器洗浄装置１８は、複数の反応容器洗浄ノズルを有している。複数の反応容器洗浄ノズルは、希釈容器洗浄ノズルと同様に、不図示の廃液ポンプと、不図示の洗剤ポンプに接続されている。なお、反応容器洗浄装置１８における洗浄工程は、上述した希釈洗浄装置１１と同様であるため、その説明は省略する。
【００５５】
また、多波長光度計１６は、反応ターンテーブル６の周囲における反応ターンテーブル６の外壁と対向するように配置されている。多波長光度計１６は、反応容器２６内に注入され、第１試薬及び第２試薬と反応した希釈検体（標準検体を含む。）に対して光学的測定を行って、検体中の様々な成分の量を「吸光度」という数値データとした測定結果を出力し、希釈検体の反応状態を検出する。多波長光度計１６には、計算機３０が接続されている。
【００５６】
さらに、反応ターンテーブル６の周囲には、恒温槽１７が配置されている。この恒温槽１７は、反応ターンテーブル６に設けられた反応容器２６の温度を常時一定に保持するように構成されている。
【００５７】
［計算機の構成例］
次に、計算機３０の構成例を図５を参照して説明する。
図５は、計算機３０の内部構成例を示すブロック図である。
計算機３０は、不図示のバスに接続された、制御部３１と、分析部３２と、入力部３３と、表示部３４と、記憶部３５と、一時記憶部３６と、時計部３７とを備える。
【００５８】
制御部３１は、ＣＰＵ（Central Processing Unit）若しくはマイクロコンピュータ等の演算処理装置によって構成される。制御部３１は、不図示のインターフェース部を介して生化学分析装置１（測定機構１Ａ）の各部と接続し、各部への動作タイミングの指示やデータの転送等を行って各部の動作の制御を行い、装置全体の動作を統括的に制御する。制御部３１は、記憶部３５に記憶されたプログラムを読み出して実行することにより、生化学分析装置１内の各部の動作を制御する。制御部３１は、分析部３２と接続されており、測定機構１Ａの多波長光度計１６が測定した反応容器２６の吸光度の測定結果が入力されると、測定結果を分析部３２に出力する。
【００５９】
分析部３２は、多波長光度計１６による測定結果を元に検体の成分濃度等を分析し、分析結果を制御部３１に出力する。
【００６０】
入力部３３は、ユーザーによって行われる生化学分析装置１に対する操作入力を受け付け、入力信号を制御部３１に出力する。この入力部３３には、例えば、マウス、キーボード、タッチパネル等が用いられる。ユーザーは、入力部３３を操作して、測定対象の検体の種類や検体数、分析項目、分析を実行する時間帯（時刻範囲）等、分析に必要な情報を入力する。なお、各検体には、検体を一意に識別できる検知ＩＤが割りふられている。
【００６１】
表示部３４は、分析結果画面や警告画面、各種設定入力のための入力画面等を表示する。この表示部３４には、例えば、液晶ディスプレイ装置等が用いられる。
【００６２】
記憶部３５は、例えば、更新記憶可能なフラッシュメモリ等のＲＯＭによって構成されている。または、記憶部３５は、内蔵或いはデータ通信端子で接続されたＨＤＤ（Hard disk drive）等の大容量の記録装置、ＣＤ−ＲＯＭ等の情報記憶媒体及びその読取装置等によって実現されてもよい。記憶部３５は、分析結果の他、生化学分析装置１の動作に必要な各種プログラムや、これらプログラムの実行にかかるデータ等を格納する。記憶部３５には、本実施形態を実現するため、測定対象指定プログラム３５ａ、測定制御プログラム３５ｂ、測定設定テーブル３５ｃ、及び測定結果テーブル３５ｄが記憶されている。
【００６３】
測定対象指定プログラム３５ａは、例えばユーザーが入力部３３を操作して、測定対象の検体又は項目を指定するために、制御部３１により実行されるプログラムである。制御部３１は、測定対象指定プログラム３５ａを実行することで、測定対象の検体及び項目（例えばＲＲＡ、ＥＰＡなど）を設定する。この測定対象指定プログラム３５ａにより、検体と項目が測定対象に指定される。ここで、ユーザーが入力部３３を操作して、検体の測定が実施される長さ、時間間隔又は時刻（時間帯）等を指定できるようにしてもよいし、検体又は項目を指定したときに該検体又は項目に応じて予め決定された長さ、時間間隔又は時刻等が自動的に設定されるようにしてもよい。そして、制御部３１は、測定対象指定プログラム３５ａにより指定された内容を基に測定設定テーブル３５ｃを作成し、記憶部３５に記憶する。
【００６４】
測定制御プログラム３５ｂは、指定された検体又は項目の測定を行うために、制御部３１により実行されるプログラムである。制御部３１は、測定設定テーブル３５ｃに記憶された動作の内容を読み出し、該読み出した動作の内容に基づく動作（測定対象の検体又は項目の測定）を実行する。測定制御プログラム３５ｂにより、検体の測定が行われる。なお、制御部３１は、入力部３３から測定開始の指示を受信した場合には、即時に測定を開始する。
【００６５】
測定設定テーブル３５ｃは、検体の測定時に実行される動作の内容と、該動作が実行される長さ、時間間隔又は時刻等との対応関係を定義したテーブルである。検体を測定時の動作（測定回数）や該動作が実行される長さ、時間間隔又は時刻（時間帯）などが、測定設定テーブル３５ｃに設定される。
【００６６】
測定結果テーブル３５ｄは、検体の測定結果を蓄積するテーブルである。制御部３１は、測定制御プログラム３５ｂを実行し、測定設定テーブル３５ｃに基づいて測定機構１Ａにより検体容器２１から反応容器２６に分注された検体の測定を規定回数行う。そして、制御部３１は、反応容器２６の検体の測定結果を、測定結果テーブル３５ｄに記憶する。
【００６７】
一時記憶部３６は、更新記憶可能なフラッシュメモリ等のＲＡＭによって構成されている。一時記憶部３６は、制御部３１が記憶部３５から読み出したプログラムやデータ、各種設定テーブルの一部又は全部の設定内容、測定結果等を一時的に記憶する。
【００６８】
時計部３７は時刻を計時し、制御部３１へ時刻を通知する。時計部３７は、例えば一般的なパーソナルコンピュータ等に装備されている、現在日時情報を出力するＩＣであるリアルタイムクロック（Real Time Clock：ＲＴＣ）が用いられる。
【００６９】
［制御部の機能ブロック］
図６は、計算機３０の制御部３１の機能ブロックを示す。
制御部３１の各部の機能は、ＣＰＵ等の演算処理装置が記憶部３５に記憶されたプログラムを実行することにより実現される。
【００７０】
制御部３１は、回転制御部４１、吸光度異常検出部４２、光源異常判定部４３、及び表示制御部４４を備える。
【００７１】
回転制御部４１は、反応ターンテーブル６の不図示の駆動機構に制御信号を送信し、反応ターンテーブル６の回転動作を制御する。本実施形態では、回転制御部４１は、反応ターンテーブル６を１回以上の回転動作を経て周方向に１回転するように制御しており、例えば３回の動作（３サイクル）で反応ターンテーブル６がほぼ１回転するように制御する。反応ターンテーブル６が１回転するのに要する時間は、一例として１３．５秒である。反応ターンテーブル６は、３．５秒で１回の回転動作を行った後に１秒間停止し、次の回転動作に移る。
【００７２】
吸光度異常検出部４２は、反応ターンテーブル６が回転する間、反応ターンテーブル６に配置された複数の反応容器２６に混在する空の反応容器の吸光度を多波長光度計１６から取得する。そして、空の反応容器の吸光度と閾値とを比較して、空の反応容器の吸光度の異常（ばらつき異常）を検出する。
【００７３】
光源異常判定部４３は、吸光度異常検出部４２において１以上の空の反応容器の吸光度に異常が検出されたときには、光源ランプ１６Ｌが異常であると判定し、判定結果を測定結果テーブル３５ｄに登録する。また、光源異常判定部４３は、光源ランプ１６Ｌが異常であることを表示制御部４４に通知する。
【００７４】
表示制御部４４は、表示部３４に表示する画像を生成するとともに、表示部３４の表示動作を制御する。表示制御部４４は、光源異常判定部４３から光源ランプ１６Ｌの異常を通知されると、光源ランプ１６Ｌが異常であることを示す画像を表示部３４に表示する。
【００７５】
［反応ターンテーブルの配置例］
図７は、第１の実施形態に係る反応ターンテーブル６上の空の反応容器の配置例を示す説明図である。
図７に示す反応ターンテーブル６では、図３の場合と同様に、反時計回りへの３回の回転動作でほぼ１回転するように設定されている。この例では、反応ターンテーブル６上で２検体、２項目を測定しているものとする。反応ターンテーブル６の移動範囲６ａには、２つの反応容器２６ａ、２６ｂが配置されている。反応容器２６ａに注入された検体では第１の項目としてリアクションレートアッセイ（ＲＲＡ）を、反応容器２６ｂに注入された検体では第２の項目としてエンドポイントアッセイ（ＥＰＡ）を測定する。ＲＲＡは、反応過程曲線のうち特に直線部分の反応過程を確認するための分析方法である。ＥＰＡは、反応過程曲線のうち特に測定終了に近い測定ポイントの反応過程を確認するための分析方法である。
【００７６】
この反応ターンテーブル６には、移動範囲６ａに空の反応容器６１Ａ，６１Ｂが配置されている。同様に、移動範囲６ｂに空の反応容器６１Ｃ、６１Ｄ、移動範囲６ｃに空の反応容器６１Ｅ、６１Ｆが配置されている。例えば移動範囲６ａには、検体ポジションＮｏ．１〜Ｎｏ．７７が割り当てられている。検体ポジションは、反応ターンテーブル６に配置された反応容器２６の位置を表す番号である。即ち移動範囲６ａに、７７個の反応容器が配置可能である。同様にして、移動範囲６ｂには、検体ポジションＮｏ．７８〜Ｎｏ．１５４、移動範囲６ｃには、検体ポジションＮｏ．１５５〜Ｎｏ．２３１が割り当てられている。図３の場合と同様に、移動範囲６ａ〜６ｃの各々の周方向の長さ（回転角度）は、反応ターンテーブル６の周方向の長さを３等分した長さ（回転角度）よりも僅かに長い（大きい）。
【００７７】
このような構成により、反応ターンテーブル６は、１回の回転動作で１／３回転強だけ回転し、回転動作を３回実行した後に１回転強回転する。それゆえ、反応ターンテーブル６が１回転した後に多波長光度計１６と対向する検体ポジションＮｏは、回転前と異なるものになる。図７では、説明の便宜上、反応ターンテーブル６を周方向に３等分した分割領域と対応する位置に移動範囲６ａ〜６ｃを表記している。
【００７８】
測定機構１Ａが反応ターンテーブル６を反時計回りに１／３回転させると、図７の移動範囲６ａの４つの反応容器２６ａ、２６ｂ、６１Ａ、６１Ｂは光源ランプ１６Ｌの前を順次通過すると共に、測光される。反応ターンテーブル６の一移動範囲の回転動作周期は４．５秒であるが、動作の開始から停止までにかかる時間は１．０秒である。もし、反応ターンテーブル６の回転動作中に光源ランプＬからの光量が変化すれば、各反応容器への入射光も変化し、吸光度の反応過程曲線にスパイクノイズが現れる。一般にスパイクノイズは、コンマ数秒〜数秒の間で発生する。
【００７９】
［検体の反応過程曲線の例］
図８は、光源ランプが正常な場合における一の測定項目（ＲＲＡ）の反応過程曲線の例を示すグラフである。図９は、光源ランプが正常な場合における他の測定項目（ＥＰＡ）の反応過程曲線の例を示すグラフである。
また、図１０は、光源ランプが異常な場合における一の測定項目（ＲＲＡ）の反応過程曲線の例を示すグラフである。図１１は、光源ランプが異常な場合における他の測定項目（ＥＰＡ）の反応過程曲線の例を示すグラフである。図１０及び図１１の反応過程曲線のそれぞれに、図８及び図９の反応過程曲線には見られなかった２箇所のスパイクノイズ（破線部）が現れている。
【００８０】
［空の反応容器の反応過程曲線の例］
次に、図１０及び図１１の反応過程曲線が得られた際、測定項目ＲＲＡ、ＥＰＡと並行して測定していた空の反応容器６１Ａ、６１Ｂの反応過程曲線を、それぞれ図１２、図１３に示す。
【００８１】
図１２は、光源ランプが異常な場合における第１の空の反応容器（空の反応容器６１Ａ）の反応過程曲線の例を示すグラフである。図１３は、光源ランプが異常な場合における第２の空の反応容器（空の反応容器６１Ｂ）の反応過程曲線の例を示すグラフである。図１２及び図１３では、空の反応容器６１Ａを空キュベットＡ、空の反応容器６１Ｂを空キュベットＢと記している。図１０の空キュベットＡ及び図１１の空キュベットＢの反応過程曲線のそれぞれに、２箇所のスパイクノイズ（破線部）が現れている。
【００８２】
なお、空キュベットＡ、及び空キュベットＢは、測定機構１Ａの分析スタートと同時に入射光の監視を開始することとし、図１２、図１３のグラフの横軸は分析スタート後の経過時間（秒）としている。経過時間は、例えば不図示の測定開始ボタン（物理的ボタン又はタッチパネル上のボタン）が押下された時刻からの経過時間、あるいは計算機３０に予め設定された分析スタート時刻からの経過時間でもよい。図１２、図１３のグラフでは、空キュベットＡ、Ｂに対して検体を注入していないために測定ポイントを計数していないが、検体を注入したと仮定して注入時を基点に横軸を測定ポイントで表すことも可能である。
【００８３】
計算機３０の制御部３１は、測定機構１Ａの分析スタート後に反応ターンテーブル６上の空キュベットの吸光度のばらつきを監視し続けることにより、まず初めに図１２及び図１３に示す１つ目（約４６０秒）の吸光度のばらつきを検出する。空キュベットの吸光度のばらつきの検出は、具体的には、各空キュベットの最新の３つの測光ポイントの吸光度について、それらの最大値と最小値の差の絶対値と、パラメータで指定した閾値とを比較することにより行う（図１４及び図１５参照）。判定条件式を下記式（１）に示す。
【００８４】
ばらつき有りの条件＝
｜最新の３つの測光ポイントの吸光度の最大値−最小値｜＞パラメータで指定した閥値
・・・・（１）
【００８５】
図１４は、第１の空の反応容器（空キュベットＡ）についての吸光度のばらつき判定結果を示す表である。図１５は、第２の空の反応容器（空キュベットＢ）についての吸光度のばらつき判定結果を示す表である。図１４及び図１５の各表には、分析スタート後の経過時間、経過時間ごとの吸光度、直近３ポイントの吸光度の最大値と最小値の差の絶対値、並びにばらつき判定結果が記されている。本実施形態では、ばらつき判定結果は、閾値が０．００２である場合の判定結果である。
【００８６】
空キュベットＡ（図１４）については、経過時間が４５９．０（秒）のときに吸光度が−０．００３００であり、それ以外の吸光度は０．０００００であった。よって経過時間が４５９．０秒、４７２．５秒、及び４８６．０秒のときの直近３ポイントの吸光度の最大値と最小値の差の絶対値が０．００３００となって、ばらつき有りと判定される。
【００８７】
また空キュベットＢ（図１５）については、経過時間が４５９．２（秒）のときに吸光度が−０．００３００であり、それ以外の吸光度は０．０００００であった。よって経過時間が４５９．２秒、４７２．７秒、及び４８６．２秒のときの直近３ポイントの吸光度の最大値と最小値の差の絶対値が０．００３００となって、ばらつき有りと判定される。即ち、空キュベットＡと空キュベットＢでは、分析スタート後、それぞれ約４５９秒経過した時点で吸光度のばらつきが発生している。
【００８８】
なお、本実施形態では、直近３ポイントの吸光度を用いて２回転分にわたる吸光度の変動を見ているが、直近２ポイントあるいは４ポイントでもよい。また、本実施形態では、吸光度の異常を吸光度のばらつきの程度で判断したが、吸光度の変化の度合いで判断してもよい。吸光度の変化の度合いは、例えば吸光度（反応過程曲線）の傾きや時間の微分として求められる。
【００８９】
光源ランプ１６Ｌの異常が発生すると、一時的に光源ランプ１６Ｌから各キュベットへの入射光の光量が変化する。そのため、反応ターンテーブル６が高速で回転（例えば１秒間に約１／３回転）した際、測光された隣接する複数のキュベットで、吸光度のばらつきが発生する可能性が高い。図１４、図１５に示す空キュベットＡ、Ｂについては、それぞれ初めて吸光度のばらつきが発生したタイミングが１秒以内であり、この場合には光源ランプ１６Ｌの異常が発生したと考えられる。
【００９０】
また、このとき空キュベットＡ、Ｂ（空の反応容器６１Ａ、６１Ｂ）に隣接した、検体を測定中のキュベット（反応容器２６ａ、２６ｂ）においても、吸光度のばらつきが発生する可能性が高く、これらは反応過程曲線にスパイクノイズとして現れる（図１６参照）。
【００９１】
図１６は、測定中の複数の項目（例えばＲＲＡ、ＥＰＡ）及び空の反応容器（例えば空キュベットＡ、Ｂ）に、同時にスパイクノイズが発生した場合の各反応過程曲線を示す図である。この図１６では、図１０〜図１３の４つのグラフを分析スタート後の経過時間４５９．０秒を基準に時間軸を合わせて表示してある。
【００９２】
反応容器２６内に検体が注入されていれば、吸光度にばらつきが発生する原因は、上述したとおり複数考えられるが、反応容器２６が空であれば、吸光度にばらつきが発生する原因は、光源ランプ１６Ｌの異常、又は撹拌子からの液だれの２つに絞られる。また、撹拌子からの液だれが複数の反応容器２６で同時に発生する可能性は極めて低いため、２つ以上の空の反応容器の吸光度を計算機３０によって監視することで、空の反応容器の吸光度のばらつきの原因を、光源ランプ１６Ｌの異常又は撹拌子からの液だれのいずれかを計算機３０の制御部３１が自動で判別することが可能となる。
【００９３】
これは、計算機３０の制御部３１が、光源ランプ１６Ｌの異常を、高い確率で正確に検知することが可能であることを示している。光源ランプ１６Ｌの異常が発生した際、計算機３０の制御部３１が測定中の全ての項目の測定結果にエラーフラグ‘＊’を付ければ（後述する図１８参照）、従来のように、誤データであるにもかかわらず、正常なデータとして報告されてしまう問題は解決する。
【００９４】
また光源ランプ１６Ｌの異常が発生した際、計算機３０の制御部３１は、単に該当する測定項目の測定結果（反応過程データ情報画面Ｄ１の項目「Ｍａｒｋ」、図２）にエラーフラグ‘＊’を付加するのではなく、光源ランプ異常を示す新しいエラーフラグを付加し、アラームを出力するとよい。このようにした場合、ユーザーは直ちに光源ランプ１６Ｌの異常に気付き、光源ランプ１６Ｌを交換することができる。あるいは、反応過程データ情報画面Ｄ１の項目「Ｍａｒｋ」にエラーフラグ‘＊’が表示された場合には、直接、光源ランプ１６Ｌに異常が発生したことを示しているという運用にしてもよい。
【００９５】
また、光源ランプ１６Ｌからの入射光の監視に使用する反応容器は、測定に使用されない空の反応容器を利用するため、測定機構１Ａの処理能力が低下することはない。
【００９６】
本発明においては、空の反応容器２６が多ければ多いほど、光源ランプ異常の検出精度が高まる。例えば使用していない反応容器２６をすべて光源ランプ１６Ｌの光量チェックに使用する。
【００９７】
また、例えば図７に示すように、反応ターンテーブル６の１回の移動範囲に対応する、少なくとも１つの分割領域内に少なくとも２個の空の反応容器が配置されていることが望ましい。この場合、少なくとも１つの分割領域内の空の反応容器を用いて正確に光源ランプ１６Ｌの異常を検出できる。また反応ターンテーブル６の全周にわたって各分割領域内に少なくとも２個の空の反応容器が配置されていることがより望ましい。
【００９８】
さらに言えば、反応ターンテーブル６の分割領域内に少なくとも２個の空の反応容器が隣接して配置されることが望ましい。この場合、より短時間のノイズを拾うことができるので、光源ランプ１６Ｌの異常を検出する精度が更に高まる。
【００９９】
また、空の反応容器は、反応ターンテーブル６の分割領域の周方向における中央又は中央付近であることが望ましい。この場合、空の反応容器から破線で示した移動範囲の両端部までの距離がほぼ同じ又は近くなる。それゆえ、１回の回転移動で光源ランプ１６Ｌと対向する分割領域の全体にわたって、均衡のとれた光源ランプ１６Ｌの異常検出が可能となる。
【０１００】
もちろん、一度に大量の検体を測定しようとすると、反応ターンテーブル６上の反応容器２６の全てに検体が注入されることがある。このような場合には、生化学分析装置のパラメータ等で、最低２つ又は３つの反応容器２６を、吸光度の監視用として確保するよう設定する。例えば図７の例では、検体注入部（サンプル希釈ピペット７、サンプリングピペット８）及び試薬注入部（第１試薬ピペット１２、第２試薬ピペット１３）は、反応ターンテーブル６に配置された複数の反応容器２６のうち、反応ターンテーブル６の分割領域内に含まれる２個の反応容器を残して、他の反応容器に検体及び試薬を注入する。
【０１０１】
［生化学分析装置の動作］
次に、生化学分析装置１の動作を、図１７を参照して説明する。
図１７は、計算機３０の制御部３１による光源異常検出処理のフローチャートである。制御部３１は、記憶部３５に記録された測定制御プログラム３５ｂを実行することで、図１７に示す処理を実現する。
【０１０２】
まず制御部３１の回転制御部４１は、測定制御プログラム３５ｂの設定に従い反応ターンテーブル６を回転させる（例えば１回の回転動作で約１／３回転させる）（Ｓ１）。ここでは、反応ターンテーブル６に複数の反応容器２６が配置され、そのうち１回の回転動作に対応する分割領域内に２個の空の反応容器が存在するものとする。
【０１０３】
次に、多波長光度計１６は、反応ターンテーブル６の回転中（例えば１０分間）に、反応ターンテーブル６に配置された反応容器２６を測光する。それにより、空の反応容器の吸光度を測定する（Ｓ２）。
【０１０４】
次に、吸光度異常検出部４２は、多波長光度計１６から順次出力される吸光度に基づいて、吸光度異常検出処理を実施し、その結果を光源異常判定部４３へ送信する（Ｓ３）。
【０１０５】
次に、光源異常判定部４３は、吸光度異常検出部４２から受信した吸光度異常検出結果に基づいて、２個以上の空の反応容器の吸光度に異常があるか否かを判定する（Ｓ４）。２個以上の空の反応容器の吸光度に異常がある場合には（Ｓ４のＹＥＳ）、光源異常判定部４３は、光源ランプ１６Ｌの異常と判定する（Ｓ５）。
【０１０６】
次に、光源異常判定部４３は、光源ランプ１６Ｌが異常である場合には、測定結果テーブル３５ｄに対し、光源ランプ１６Ｌの異常が検出されたときに反応ターンテーブル６に配置されていた全反応容器の測定項目の全てにエラーフラグを付与する（Ｓ６）。
【０１０７】
図１８に、測定結果テーブル３５ｄの内容の一例を示す。
測定結果テーブル３５ｄは、反応容器Ｎｏ、測定項目、吸光度と検量線から算出される濃度値（質量）、ばらつき異常、及び光源ランプ異常の各項目を備える。図１８の例では、反応容器Ｎｏ.００１、Ｎｏ.００２の測定結果が登録されており、反応容器Ｎｏ.００１の測定項目ＲＲＡに高い値が検出されたために、エラーフラグ‘*Ｈ’が付加されている。この場合、測定結果テーブル３５ｄに対し、光源ランプ１６Ｌの異常が検出されたとき反応ターンテーブル６に配置されていた全反応容器の測定項目の全てにエラーフラグ‘Ｌ’が付与される。
【０１０８】
次に、光源異常判定部４３は、光源ランプ１６Ｌが異常であることを表示制御部４４に通知する。そして、表示制御部４４は光源ランプ１６Ｌが異常であることを示す画像を生成して表示部３４に表示する（Ｓ７）。光源ランプ１６Ｌが異常であることは、上述したように反応過程データ情報画面Ｄ１の項目「Ｍａｒｋ」等にエラーフラグ‘＊’を表示してもよいし、テキスト等のエラーメッセージを表示してもよい。
【０１０９】
図１９に、光源ランプ異常のエラー表示の例を示す。
例えば各反応容器（検体）の各測定項目の測定結果を表す画面には、光源ランプ１６Ｌの異常を知らせる、図１９の例では、「光源ランプの異常が発生しました」というメッセージが表示されている。あるいは、このメッセージを、計算機３０が起動して初めて表示部３４に表示される画面、又は実際に測定を実施する際に表示される画面（ホーム画面）、反応過程データ情報画面Ｄ１に反応過程曲線などとともに表示してもよい。
【０１１０】
ステップＳ４の判定処理において２個以上の空の反応容器の吸光度に異常がない場合には（Ｓ４のＮＯ）、光源異常判定部４３は、その他のばらつき異常と判定し（Ｓ８）、本処理を終了する。制御部３１は、該当する反応容器（検体）の測定結果の該当測定項目にエラーフラグを付与し、必要であれば再検を実施する。
【０１１１】
以上のように構成された第１の実施形態は、検体を測定中に空の反応容器の吸光度を監視することで、光源ランプ１６Ｌの異常に起因する、複数の検体、複数の項目の測定結果の誤報告を確実に防ぐことができる。
【０１１２】
また第１の実施形態は、光源ランプ１６Ｌの異常が発生した際、光源ランプ１６Ｌの異常を知らせるアラーム出力により、ユーザーは直ちに光源ランプ１６Ｌの交換作業を開始でき、短時間でルーチンに戻ることができる。
【０１１３】
また第１の実施形態は、光源ランプ１６Ｌの異常と、その他のばらつき異常の原因を自動で区別できるため、その他のばらつき異常が発生した際においても、技師が原因を特定するまでにかかる時間が短縮される。
【０１１４】
＜３．第２の実施形態＞
図２０は、本発明の第２の実施形態に係る反応ターンテーブル６上の空の反応容器の配置例を示す図である。
図２０の例では、２回の回転動作でほぼ１回転する反応ターンテーブル６の移動範囲６ｄに対応する分割領域に空の反応容器６１Ａ、６１Ｂが配置され、移動範囲６ｅに対応する分割領域に空の反応容器６１Ｃ、６１Ｄが配置されている。このように、反応ターンテーブル６が２回の回転動作で約１回転する形態としてもよい。
【０１１５】
上記の第２の実施形態は、第１の実施形態に係る反応ターンテーブル６を３分割した場合と比較して、空の反応容器６１Ａ〜６１Ｄへの入射光を監視する頻度が低くなる。言い換えると、２つの空の反応容器で担当する反応ターンテーブル６の移動範囲（分割領域）が長くなる。この点を除けば、第２の実施形態は、第１の実施形態と同様の作用、効果が得られる。また、第２の実施形態は、第１の実施形態の場合よりも検体の分析に使用できる反応容器が多い。
【０１１６】
＜４．第３の実施形態＞
図２１は、本発明の第３の実施形態に係る反応ターンテーブル６上の空の反応容器の配置例を示す図である。
図２１の例では、１回の回転動作でほぼ１回転（１回転強）する反応ターンテーブル６に空の反応容器６１Ａ、６１Ｂが配置されている。このように、反応ターンテーブル６が１回の回転動作で約１回転する形態としてもよい。
【０１１７】
上記の第３の実施形態は、第２の実施形態と比較して、さらに空の反応容器６１Ａ、６１Ｂへの入射光を監視する頻度が低くなるものの、この点を除けば、第１及び第２の実施形態と同様の作用、効果が得られる。
【０１１８】
＜５．第４の実施形態＞
図２２は、本発明の第４の実施形態に係る反応ターンテーブル６上の空の反応容器の配置例を示す図である。
図２２の例では、３回の回転動作でほぼ１回転する反応ターンテーブル６の１回の移動範囲６ａに対応する分割領域に空の反応容器６１Ａが配置され、移動範囲６ｂに対応する分割領域に空の反応容器６１Ｂが配置され、移動範囲６ｃに対応する分割領域に空の反応容器６１Ｄが配置されている。このように、反応ターンテーブル６の３つの分割領域の各々に、１個の反応容器を配置する形態としてもよい。
【０１１９】
＜６．第５の実施形態＞
図２３は、本発明の第５の実施形態に係る反応ターンテーブル６上の空の反応容器の配置例を示す図である。
図２３の例では、２回の回転動作でほぼ１回転する反応ターンテーブル６の移動範囲６ｄに対応する分割領域に空の反応容器６１Ａが配置され、移動範囲６ｅに対応する分割領域に空の反応容器６１Ｂが配置されている。このように、反応ターンテーブル６の２つの分割領域の各々に、１個の反応容器を配置する形態としてもよい。
【０１２０】
このように、一つの分割領域に１個の反応容器を配置した場合でも、光源ランプ１６Ｌの異常を検出することが可能である。図２４を参照して１個の反応容器を用いて光源ランプ１６Ｌの異常を検出する方法を説明する。
【０１２１】
図２４は、光源ランプが異常な場合における空の反応容器（キュベットＡ）の反応過程曲線の例を示すグラフである。
図２４の反応過程曲線は、ある経過時間（約４０５．０秒）において吸光度が急峻に変化し、その後は吸光度が緩やかに低下している。吸光度が緩やかに低下している部分では、図１２の場合と同じタイミングで２箇所（破線部）にスパイクノイズが発生している。反応過程曲線の吸光度が急峻に変化している部分は、液だれが発生したタイミングと一致する。つまり、吸光度の変化の閾値を適切に設定し、反応過程曲線の傾きと閾値を比較して、反応過程曲線の傾きが閾値よりも大きければ液だれであると判断できる。さらに、吸光度の変化が急峻である（傾きが非常に大きい）ことに加えて、その後の吸光度が緩やかに低下している場合に、液だれと判断してもよい。
【０１２２】
上記の第４及び第５の実施形態は、１個の空の反応容器を用いて、上述した第１〜第３の実施形態と同様に、光源ランプ異常と液だれを自動的に区別することができる。ただし、第１〜第３の実施形態では、２個以上の空の反応容器の吸光度に異常がある場合にスパイクノイズである（液だれを排除）と判断しており、第４及び第５の実施形態の場合よりも演算処理が簡素である。
【０１２３】
さらに、本発明は上述した各実施形態例に限られるものではなく、特許請求の範囲に記載した本発明の要旨を逸脱しない限りにおいて、その他種々の応用例、変形例を取り得ることは勿論である。
【０１２４】
例えば、上述した実施形態例は本発明を分かりやすく説明するために装置及びシステムの構成を詳細且つ具体的に説明したものであり、必ずしも説明した全ての構成を備えるものに限定されるものではない。また、ある実施形態例の構成の一部を他の実施形態例の構成に置き換えることは可能である。また、ある実施形態例の構成に他の実施形態例の構成を加えることも可能である。また、各実施形態例の構成の一部について、他の構成の追加、削除、置換をすることも可能である。
【０１２５】
また、上記の各構成、機能、処理部、処理手段等は、それらの一部又は全部を、例えば集積回路で設計する等によりハードウェアで実現してもよい。また、上記の各構成、機能等は、プロセッサがそれぞれの機能を実現するプログラムを解釈し、実行することによりソフトウェアで実現してもよい。各機能を実現するプログラム、テーブル、ファイル等の情報は、メモリやハードディスク、ＳＳＤ（Solid State Drive）等の記録装置、又はＩＣカード、ＳＤカード、ＤＶＤ等の記録媒体に置くことができる。
【０１２６】
また、制御線や情報線は説明上必要と考えられるものを示しており、製品上必ずしも全ての制御線や情報線を示しているとは限らない。実際には殆ど全ての構成が相互に接続されていると考えてもよい。
【０１２７】
また、本明細書において、時系列的な処理を記述する処理ステップは、記載された順序に沿って時系列的に行われる処理はもちろん、必ずしも時系列的に処理されなくとも、並列的あるいは個別に実行される処理（例えば、並列処理あるいはオブジェクトによる処理）をも含むものである。
【符号の説明】
【０１２８】
１…生化学分析装置、  １Ａ…測定機構、  ６…反応ターンテーブル、  ６ａ〜６ｅ…移動範囲、  １６…多波長光度計、  １６Ｌ…光源ランプ、  ２６…反応容器、  ３０…計算機、  ３１…制御部、  ３２…表示部、  ３５…記憶部、  ３５ｄ…測定結果テーブル、  ４１…回転制御部、  ４２…吸光度異常検出部、  ４３…光源異常判定部、  ４４…表示制御部、  ６１Ａ〜６１Ｆ…空の反応容器
【図１】
2017129460.tif 000003
【図２】
2017129460.tif 000004
【図３】
2017129460.tif 000005
【図４】
2017129460.tif 000006
【図５】
2017129460.tif 000007
【図６】
2017129460.tif 000008
【図７】
2017129460.tif 000009
【図８】
2017129460.tif 000010
【図９】
2017129460.tif 000011
【図１０】
2017129460.tif 000012
【図１１】
2017129460.tif 000013
【図１２】
2017129460.tif 000014
【図１３】
2017129460.tif 000015
【図１４】
2017129460.tif 000016
【図１５】
2017129460.tif 000017
【図１６】
2017129460.tif 000018
【図１７】
2017129460.tif 000019
【図１８】
2017129460.tif 000020
【図１９】
2017129460.tif 000021
【図２０】
2017129460.tif 000022
【図２１】
2017129460.tif 000023
【図２２】
2017129460.tif 000024
【図２３】
2017129460.tif 000025
【図２４】
2017129460.tif 000026